(57)【特許請求の範囲】
【請求項１】
水際に沿って護岸壁が設けられ、該護岸壁と陸地との間に形成された凹所に、植物が根をはる土壌が満たされ、該土壌の上に、植物が活着されるマットが敷設され、該マットの上に、マットを押さえる複数のブロックが敷設され、
前記ブロックは板状であり、さらに該ブロックには、前記マットを露出させて植物が植栽される開口部が、ブロックの上下面にわたって貫通状態に形成されている水際植生用護岸構造物において、
護岸壁側と陸地側とに配置されたブロックの開口部の面積が、これら両側のブロックの間に配置されたブロックの開口部の面積よりも小とされていることを特徴とする水際植生用護岸構造物。
【請求項２】
請求項１に記載された水際植生用護岸構造物において、
前記ブロックは平面視略矩形であり、しかも四隅が除去された形状とされ、前記マット上に配置されたときに隣り合うブロックとの突き合わせ部とされていることを特徴とする水際植生用護岸構造物。
【発明の詳細な説明】
【０００１】
【発明の属する技術分野】
本発明は、河川等の水際に構築される水際植生用護岸構造物に関する。
【０００２】
【従来の技術】
近年、自然環境の保全、都市の緑化、緑の復元再生を望む声が強くなっており、様々な建築構造物において、その周囲に木々を植えたり、周囲の自然環境に馴染みやすい外観を備えるものが多くみられるようになっている。そうした流れのひとつとして、例えば河川の改修工事等においては、単なる護岸壁を設けるだけではなく、この護岸壁に近接して水生植物を植栽する区画を設けることによって水際の緑化を図り、川岸に自然な環境を再現することが試みられている。
【０００３】
水際の緑化技術の一例としては、水際に沿って護岸壁を設けるとともに、この護岸壁よりも陸地側に石積壁を設け、この護岸壁と石積壁との間に形成される凹所に土壌を満たし、この土壌の上にヤシ繊維マットを敷き詰め、このヤシ繊維マットに水生植物を活着させることによって、河川の水際の緑化を図っている。
【０００４】
【発明が解決しようとする課題】
しかしながら、上記のような水際の緑化技術によると、植栽された水生植物、ヤシ繊維マット、土壌が、時間が経過するにつれて波に浸食され、水生植物が生育しにくかった。特に、打ち寄せた波がぶつかる石積に近接した部分や、返す波に激しく洗われる護岸壁のすぐ後の部分では、水生植物、ヤシ繊維マット、土壌が洗い流されてしまい、水際の緑化が実現できない場合があった。
【０００５】
本発明は上記の事情に鑑みてなされたものであり、波による浸食を防ぎ、水生植物の生息に適した環境を造ることによって緑化を図り、これによって水辺に自然な環境を再現することができる水際植生用護岸構造物を提供することを目的としている。
【０００６】
【課題を解決するための手段】
請求項１に記載された水際植生用護岸構造物は、水際に沿って護岸壁が設けられ、該護岸壁と陸地との間に形成された凹所に、植物が根をはる土壌が満たされ、該土壌の上に、植物が活着されるマットが敷設され、該マットの上に、マットを押さえる複数のブロックが敷設され、前記ブロックは板状であり、さらに該ブロックには、前記マットを露出させて植物が植栽される開口部が、ブロックの上下面にわたって貫通状態に形成されている水際植生用護岸構造物において、護岸壁側と陸地側とに配置されたブロックの開口部の面積が、これら両側のブロックの間に配置されたブロックの開口部の面積よりも小とされていることを特徴とする。
【０００９】
請求項２に記載された水際植生用護岸構造物は、請求項１に記載された水際植生用護岸構造物におけるブロックが平面視略矩形であり、ブロックは平面視略矩形であり、しかも四隅が除去された形状とされ、マット上に配置されたときに隣り合うブロックとの突き合わせ部とされていることを特徴とする。
【００１０】
【発明の実施の形態】
本発明に係る水際植生用護岸構造物の実施の形態を図１ないし図５に示して説明する。
図１に示す水際植生用護岸構造物１０は、水際に沿って設けられた護岸壁２０と、護岸壁２０よりも陸地側に設けられた石積壁３０と、護岸壁２０と石積壁３０との間の凹所４０に満たされた土壌５０と、土壌５０の上に敷き詰められたヤシ繊維マット（マット）６０と、ヤシ繊維マット６０の上に配置されたコンクリートブロック７０とを備えている。
【００１１】
護岸壁２０は、河川の底に設けられた基礎コンクリートＢに一体的に立設配置されており、護岸壁２０の高さは水かさが増したときの水位よりもやや低く設定されている。また、護岸壁２０には凹所４０と河川との間に水抜き孔２１が貫通状態に形成されており、この水抜き孔２１を通じて凹所４０に溜まった水が河川側に流出し、土壌５０の排水が行なわれるようになっている。
【００１２】
石積壁３０は、護岸壁２０よりも高く設定され、水位が増しても影響を受けない十分な強さと高さとを備えている。なお、石積壁３０には、既存の護岸壁を利用する場合や、石積壁３０そのものを設けず、自然の陸地の隆起した斜面を利用する場合もある。
【００１３】
護岸壁２０と石積壁３０との間の凹所４０には必要に応じてコンクリート５１が打設される等して地業が施されて捨石５２が配され、その上に土壌５０となる土砂が入れられている。
【００１４】
土壌５０は、後述する水生植物Ｐの植生基盤となるもので、護岸壁２０の上部よりもやや低い位置まで満たされている。ヤシ繊維マット６０は、この土壌５０の上に隙間なく敷き詰められており、目が粗く水はけの良いものが採用されている。
【００１５】
コンクリートブロック７０は、ヤシ繊維マット６０の上に隣接配置されてヤシ繊維マット６０を押さえている。これらコンクリートブロック７０は略矩形の形状とされてその材質には透水性を有するものが採用されており、しかも図２に示すように開口部の形状が異なる２種類がある。
【００１６】
２種類のコンクリートブロック７０のうち、護岸壁２０および石積壁３０に沿って敷設されたコンクリートブロック７１の開口部７１ａは、複数の円形の孔が上下面にかけて貫通状態に形成されたもので、詳しくは円形の孔が縦横に３列ずつ、計９個設けられている。
【００１７】
また、両側のコンクリートブロック７１の間に敷設されたコンクリートブロック７２の開口部７２ａは、大きな矩形の孔が上下面にかけて貫通状態に形成されたもので、矩形の孔の周囲には等しい幅の枠部分７２ｂが残されている。また、コンクリートブロック７１、７２の四隅は、それぞれ１／４の円弧状に除去された状態に形成されて凹部（突き合わせ部）７１ｃ、７２ｃとされている。
ここで、コンクリートブロック７１の開口部７１ａの総面積は、コンクリートブロック７２の開口部７２ａの面積よりも小さく設定されている。
【００１８】
これらのコンクリートブロック７１、７２は、図３および図４に示すようにヤシ繊維マット上に規則正しく隣接配置されている。特にコンクリートブロック７２は、四隅の凹部７２ｃを周囲のコンクリートブロック７１、７２にそれぞれ突き合わせて千鳥模様に配置されている。また、コンクリートブロック７１、７２のが向き合う部分に空間７３が形成されている。
【００１９】
この空間７３には、円筒形の小コンクリートブロック７４が挿入配置されて空間７３が閉じられた状態とされているが、適当に離間した所々の空間７３には、高さがまちまちに丸太杭８０が打ち込まれている。
【００２０】
コンクリートブロック７１、７２の開口部７１ａ、７２ａから露出した部分には、葦等の水生植物Ｐが植栽されている。これら水生植物Ｐはヤシ繊維マット６０に活着し、土壌５０に根を伸して生育している。
【００２１】
上記のように構成された水際植生用護岸構造物１０において、河川の水位が上昇し、護岸壁２０を越えると、川面に起こる波が直接、水生植物Ｐに当るようになる。このとき、護岸壁２０沿いおよび石積壁３０沿いにおいては、コンクリートブロック７１が敷設されており、開口部７１ａから伸びた水生植物Ｐが小さな集りを形成した状態となって疎に生育している。その他の部分はコンクリートブロック７１に覆われて押さえられており、波による浸食が特に激しいこれらの部分においても、水生植物Ｐやヤシ繊維マット６０、土壌５０が波に洗い流されにくくなっている。
【００２２】
半面、波による浸食がさほど激しくない護岸壁２０と石積壁３０との中間付近においては、コンクリートブロック７２が敷設されて水生植物Ｐが一面に広がって密に生育しながらも、コンクリートブロック７２の枠部分７２ｂでヤシ繊維マット６０が押さえられているため、少なからず波の浸食を受けるこの部分においても、ヤシ繊維マット６０や土壌５０が波に洗い流されにくくなっている。
【００２３】
また、コンクリートブロック７０の材質そのものに透水性があり、コンクリートブロック７０上とヤシ繊維マット６０との間で水の移動が容易に行われるため、水生植物Ｐを含めて生物が生息し易くなっている。
【００２４】
生育した水生植物Ｐの間に打ち込まれた丸太杭８０は鳥や昆虫の休息場所となり、水辺に多くの生物が集ってくるようになる。
【００２５】
また、コンクリートブロック７０の隅が除去された形状となっているので、コンクリートブロックどうしの収まりが良く配置における連続性が保たれる。
【００２６】
以上のように、水際植生用護岸構造物１０によれば、波によって引き起こされる水生植物Ｐやヤシ繊維マット６０、土壌５０の流出を防ぎつつ、水生植物Ｐの生息に適した環境を造ることによって水際の緑化を図り、これによって水辺に自然な環境を再現することができる。
【００２７】
なお、本実施の形態においては開口部の面積が小さいコンクリートブロック７１を護岸壁２０側と石積壁３０側とに１列ずつ配したが、波の強さは場所により様々なので、状況に応じてコンクリートブロックの配列を自由に決定して構わない。例えば、波の非常に強い場所にはコンクリートブロック７１を２列ずつ配してもよい。
【００２８】
コンクリートブロック７１、７２の開口部の形状をそれぞれ円形と矩形としたが、例えば三角形やその他の多角形、直線や曲線により形成された異形の形状等を採用しても構わない。
【００２９】
また、コンクリートブロック７１、７２の大きさ、重量は、施工時の作業性を考慮して決定されるものとする。例えば、縦横サイズをそれぞれ６００ｍｍ、重量を３０ｋｇから５０ｋｇ程度とされると、作業者が人力のみで移動、設置可能である。
【００３０】
ここで、コンクリートブロックの他の実施の形態について説明する。
図５に示すコンクリートブロック１７２は、先に説明したコンクリートブロック７２と異なり、四隅の形状が、隣り合う二側面１７２ｘ、１７２ｙに対して等しい角度をなして切除された状態に形成され、平面部（突き合わせ部）１７２ｃとされている。
【００３１】
このコンクリートブロック１７２を互い違いに配置したとき、この四隅の平面部１７２ｃどうしが突き合わされるので、コンクリートブロック１７２どうしの収まりが良く配置における連続性が保たれる。
【００３２】
【発明の効果】
以上説明したように、本発明の水際植生用護岸構造物によれば、波による浸食を防ぎ、植物の生息に適した環境を造ることによって緑化を図り、これによって水辺に自然な環境を再現することができる。
特に、請求項１に記載された水際植生用護岸構造物によれば、植物が活着されるマットの上に複数のブロックが敷設されており、このブロックがマットを押さえているので、マットやその下の土壌が波に洗い流されにくくなり、これによって植物をしっかりと根付かせておくことができる。
【００３３】
また、マットの上に敷設される板状のブロックには、その上下面にわたって貫通状態に開口部が形成されており、ブロックの周囲の枠部分によってマットを押さえ、開口部に植物が植栽されるので、例えばブロックを隣接させて敷設すると、マットを押さえつつも植物が生育する場所を確保することができる。
【００３４】
さらに、護岸壁側と陸地側とに配置されたブロックの開口部の面積が、これら両側のブロックの間に配置されたブロックの開口部の面積よりも小とされており、護岸壁側と陸地側のマットが開口部の面積の小さいブロックで広く押さえられているので、波の力が強く作用する護岸壁側と陸地側とにおいても波の浸食を受けにくくすることができる。
【００３５】
請求項２に記載された水際植生用護岸構造物によれば、ブロックが平面視略矩形であり、マット上に配置されたときに、隣り合うブロックに突き合わせて配置される四隅が除去された形状とされているので、ブロックどうしの収まりが良くなり、配置されるブロックの連続性を保つことができる。
【図面の簡単な説明】
【図１】本発明に係る水際植生用護岸構造物の実施の形態を示す側方断面図である。
【図２】前記水際植生用護岸構造物におけるコンクリートブロックの形状を示す斜視図である。
【図３】前記コンクリートブロックの配置を示す平面図である。
【図４】同じく、前記コンクリートブロックの配置を示す斜視図である。
【図５】前記水際植生用護岸構造物におけるコンクリートブロックの他の実施の形態を示す平面図である。
【符号の説明】
１０  水際植生用護岸構造物
２０  護岸壁
４０  凹所
５０  土壌
６０  ヤシ繊維マット
７１、７２  コンクリートブロック
７１ａ、７２ａ  開口部
７２ｂ  枠部分
７１ｃ、７２ｃ  凹部（突き合わせ部）
１７２  コンクリートブロック
１７２ｃ  平面部（突き合わせ部）
【図１】
0003703194.tif 000002
【図２】
0003703194.tif 000003
【図３】
0003703194.tif 000004
【図４】
0003703194.tif 000005
【図５】
0003703194.tif 000006